(57)【要約】【課題】  サムネイル画像数の制約無しに、サムネイル画像の一覧を高速表示できるようにする。【解決手段】  ＣＰＵ（４０）は、シーンの記録が開始されると、バッファメモリ（１６）に格納される先頭フレーム（の圧縮符号化データ）をデコーダ（２２）に読み出し、伸長する。リサイズ回路（３０）及びエンコーダ（３２）が、先頭フレームから圧縮されたサムネイル画像を生成し、ＲＡＭ（４４）に一時的に格納する。記録媒体（２０）のイジェクトの際に、記録媒体（２０）に記録済みのサムネイル画像を読み出し、ＲＡＭ（４４）に記憶されるサムネイル画像とまとめて、記録媒体（２０）の記録済み領域の直後に代表画像ブロックとして記録する。【選択図】  図１
2009238339.tif 000002
【特許請求の範囲】
【請求項１】
画像入力手段（１２）と、
記録媒体に信号を記録再生する記録再生手段（１８）と、
ユーザが操作する操作手段（４２）と、
前記画像入力手段によって入力された画像を、前記操作手段による記録開始の指示から記録終了の指示までの間を１つのシーンとして前記記録再生手段により前記記録媒体に記録させる制御手段（４０）と、
前記記録媒体に記録される各シーンの代表画像を生成する代表画像生成手段（３０、３２）と、
前記代表画像生成手段により生成される前記代表画像を一時的に記憶するメモリ（４４）
とを具備し、
前記制御手段は、前記操作手段による前記記録媒体のイジェクト操作及び電源オフの何れかに応じて、前記記録媒体に記録済みの代表画像と前記メモリに記憶される代表画像とをまとめて前記記録媒体の記録済み領域に続けて代表画像ブロックとして記録するように前記記録再生手段を制御し、前記メモリに記憶される代表画像を前記メモリから削除する
ことを特徴とする記録再生装置。
【請求項２】
更に、前記代表画像の管理情報を生成する管理情報生成手段を有し、
前記制御手段は、前記管理情報生成手段により生成された管理情報を、前記代表画像ブロックに続けて記録する
ことを特徴とする請求項１に記載の記録再生装置。
【請求項３】
更に、
前記記録媒体から前記記録再生手段により前記代表画像ブロックの代表画像を読み込む読み込み手段と、
前記読み込み手段により読み込まれた代表画像を一覧表示する表示手段
とを有することを特徴とする請求項１又は２に記載の記録再生装置。
【発明の詳細な説明】
【技術分野】
【０００１】
本発明は、記録再生装置に関し、動画像とその代表画像を記録媒体に記録再生する記録再生装置に関する。
【背景技術】
【０００２】
ＤＶＤ，ＤＶＤ−Ｒ，ＤＶＤ−ＲＷ等の光ディスクでは、データは、ディスクの内周側から外周側に向けてらせん状につながった１本のトラックに書き込まれ、または書込み可能に構成されている。この１本のトラックは、所定長さのデータが書き込み可能な複数のセクタが連続配置された構成からなる場合もある。
【０００３】
光ディスク駆動装置では、光ピックアップは、回転している光ディスクの、光ピックアップの焦点位置を通過するセクタにデータを読み書きする。光ピックアップは、アクチュエータにより光ディスクの半径方向に移動可能であり、らせん状のトラックに追従するように制御される。
【０００４】
近年、光ディスクはデジタルビデオカメラ等の記録媒体としても採用されている。ビデオカメラでは、記録済みの画像の一覧をサムネイル画像で代表的に表示することが一般的である。光ディスクは、一般的には追加記録が可能な状態にあるが、ファイナライズ処理を適用することで、追加記録が不可能な状態になり、記録内容が確定する。
【０００５】
ファイナライズ処理により記録内容が確定するので、ファイナライズ処理に付随して、サムネイル画像の一覧からなるメニュー画面を生成し、光ディスクに記録しておけばよい。しかし、ファイナライズされていない中間状態では、このようなメニュー画面を、新たな画像の記録の都度、生成して光ディスクに記録するのは無駄である。そこで、従来、ファイナライズ処理前の光ディスクで記録画像の一覧を確認する際には、各記録画像の先頭画像を代表画像となるサムネイル画像として読み込み、これらのサムネイル画像を一覧表示するようにしている。しかし、この方法は、光ディスクの記録画像を走査して、各先頭画像を読み出すことになるので、時間がかかる。
【０００６】
特許文献１には、各記録画像データのサムネイル画像データを、記録トラックの連続するセクタ上に連続して記録することが記載されている。
【特許文献１】特開２００６−３０２３５２号公報
【発明の開示】
【発明が解決しようとする課題】
【０００７】
特許文献１に記載の技術では、サムネイルの一覧表示を高速化できるが、サムネイル画像データを記録するためのディスク領域（サムネイル記録領域）を予め確保しておかなければならない。予め確保されたサムネイル記録領域よりも広い領域を必要とする数のサムネイル画像を記録出来なかった。即ち、記録可能な画像数が制限される。
【０００８】
また逆に、実際のサムネイル画像数がサムネイル記録領域の容量よりも少ない場合、サムネイル記録領域が無駄になる。
【０００９】
本発明は、このような不都合を解消し、サムネイル画像のような代表画像の一覧を高速に表示できる記録再生装置を提示することを目的とする。
【課題を解決するための手段】
【００１０】
本発明に係る記録再生装置は、画像入力手段と、記録媒体に信号を記録再生する記録再生手段と、ユーザが操作する操作手段操作手段と、前記画像入力手段によって入力された画像を、前記操作手段による記録開始の指示から記録終了の指示までの間を１つのシーンとして前記記録再生手段により前記記録媒体に記録させる制御手段と、前記記録媒体に記録される各シーンの代表画像を生成する代表画像生成手段と、前記代表画像生成手段により生成される前記代表画像を一時的に記憶するメモリとを具備し、前記制御手段は、前記操作手段による前記記録媒体のイジェクト操作及び電源オフの何れかに応じて、前記記録媒体に記録済みの代表画像と前記メモリに記憶される代表画像とをまとめて前記記録媒体の記録済み領域に続けて代表画像ブロックとして記録するように前記記録再生手段を制御し、前記メモリに記憶される代表画像を前記メモリから削除することを特徴とする。
【発明の効果】
【００１１】
本発明によれば、代表画像の数に制限なく、記録媒体に記録された動画像の代表画像の一覧を高速表示できるようになる。
【発明を実施するための最良の形態】
【００１２】
以下、図面を参照して、本発明の実施例を詳細に説明する。
【実施例１】
【００１３】
図１は、本発明の第１実施例の概略構成ブロック図である。
【００１４】
本実施例のビデオカメラ１０は、画像入力手段としてのカメラ部１２と、カメラ部１２からの映像信号を所定形式に変換するエンコーダ１４を具備する。ディスクアクセス用のバッファメモリ１６と、記録媒体２０への書き込み読み出しを行う、記録再生手段としてのディスクアクセス部１８を備えている。記録媒体２０は、ＤＶＤ−Ｒのような追加記録型の光ディスクからなる。また、記録媒体２０から読み出された動画像データを復号するデコーダ２２を具備する。映像表示手段として、液晶表示パネル（ＬＣＤ）２６とＬＣＤ２６を制御するＬＣＤ制御装置２４を備えている。
【００１５】
本実施例では、外部出力端子２８から映像信号を外部に出力可能である。ＣＰＵ４０は、ＣＰＵバス４８を介して、ＲＡＭ４４、ＲＯＭ４６、操作部４２およびその他のブロックに接続し、各ブロックを制御する。操作部４２は、ユーザによる各種の操作キー又は摘みなどからなり、その操作がＣＰＵ４０に供給される。ＣＰＵ４０は、詳細は後述するが、これらの操作によるユーザからの指示に応じて、種々の処理を各部に実行させる。
【００１６】
本実施例の動画像記録動作を説明する。カメラ部１２は、被写体の光学像を電気画像信号に変換する撮像素子を具備し、一定周期（３０フレーム／秒又は６０フィールド／秒等）の画像信号をデジタルデータ化して出力する。
【００１７】
ユーザが操作部４２により映像記録の開始をＣＰＵ４０に指示すると、ＣＰＵ４０は、エンコーダ１４にカメラ部１２の出力画像データの符号化を指示する。エンコーダ１４はカメラ部１２からの画像データを圧縮符号化し、符号化画像データをバッファメモリ１６に書き込む。ＣＰＵ４０からの制御に従い、ディスクアクセス部１８は、バッファメモリ１６の記憶データを逐次、読み出し、記録媒体２０に記録する。このようにして、ビデオカメラ１０は、被写体を示す一連の画像からなる動画像を圧縮符号化して、記録媒体２０に記録できる。
【００１８】
本明細書では、記録開始からその終了までに記録される１つの動画像又はその単位をシーンと呼び、複数のシーンと、それらの管理情報をまとめたものをタイトルと呼ぶ。１つのタイトルに複数のシーンが含まれうるが、１つのタイトルには１つの管理情報しか存在しない。管理情報は、対応するタイトルに含まれる全シーンの記録媒体２０上の記録位置を示すアドレスなどを格納する。記録媒体２０のイジェクト時、電源切断時、又はシーン数が９９を超えたときなどにタイトルが閉じられ、そのタイトルの管理情報がＣＰＵ４０により生成され記録媒体２０に記録される。このとき、同時に、管理情報のバックアップも記録媒体２０に記録される。
【００１９】
本実施例のサムネイル画像の生成・記録手順を説明する。ＣＰＵ４０は、シーンの記録が開始されると、バッファメモリ１６に格納される先頭フレーム（の圧縮符号化データ）をデコーダ２２に読み出す。デコーダ２２は、先頭フレームの圧縮符号化データを復号化する。リサイズ回路３０は、デコーダ２２により復号化された先頭フレームのサイズを縮小して、代表画像としてのサムネイル画像を生成する。リサイズ回路３０が代表画像生成手段として機能する。エンコーダ３２は、リサイズ回路３０からのサムネイル画像をＪＰＥＧ方式で圧縮符号化する。圧縮符号化されたサムネイル画像データは、バス４８を介してＲＡＭ４４に一時的に格納される。
【００２０】
このような処理により、ＲＡＭ４４には、各シーンに１つのサムネイル画像データが蓄積される。ただし、後述するように、記録媒体２０のイジェクトの際と電源オフ時には、ＲＡＭ４４に記憶されるサムネイル画像データは記録媒体２０に書き出される。従って、ＲＡＭ４４には、記録媒体２０の直前の装填（又は電源オン）からイジェクト（又は電源オフ）までに記録媒体２０に記録されたシーンのサムネイル画像データが蓄積される。
【００２１】
ユーザが操作部４２により記録媒体２０のイジェクトをＣＰＵ４０に指示すると、ＣＰＵ４０は、ディスクアクセス部１８を制御して、記録媒体２０に記録済みのタイトルの末尾にサムネイル画像ブロックが記録されているか否かを順に調べる。複数のサムネイル画像をまとめて記録した領域をサムネイル画像ブロック（代表画像ブロック）という。このサムネイル画像ブロックは、後述する更新処理により、このサムネイル画像ブロックよりも前に記録された全シーンのサムネイル画像データを含む。
【００２２】
ディスクアクセス部１８は、検出したサムネイル画像ブロックをＲＡＭ４４に書き込む。ＣＰＵ４０は、記録媒体２０からこのように読み出されたサムネイル画像ブロックの全サムネイル画像データと、装填（又は電源オン）以後にＲＡＭ４４に記憶されたサムネイル画像データとを纏めて、記録媒体２０に追記する。これにより、記録媒体２０に記録される最後のタイトルの後ろに、全記録シーンのサムネイル画像からなる新たなサムネイル画像ブロックが記録される。ＲＡＭ４４に蓄積記憶されていたサムネイル画像データは、削除される。
【００２３】
このようなサムネイル画像ブロックの更新処理により、記録媒体２０の装填時には、記録媒体２０の追加記録可能位置の直前に、全記録シーンのサムネイル画像がまとめて記録されていることになる。勿論、ＲＡＭ４４にサムネイル画像データが格納されていない場合には、サムネイル画像ブロックは更新されない。サムネイル画像ブロックが更新された場合、ＣＰＵ４０は、更新されたサムネイル画像ブロックのサムネイル画像のアドレスを含む中間管理情報ＴＭＰ＿ＦＳをサムネイル画像ブロックの後に記録する。
【００２４】
再生モードで記録媒体２０が装填されていると、ＣＰＵ４０は、記録媒体２０に記録される画像の一覧をサムネイルで表示する。即ち、サムネイル画像の一覧が表示される。この一覧表示のために、ＣＰＵ４０は、ディスクアクセス部１８を制御し、記録媒体２０の最新の中間管理情報ＴＭＰ＿ＦＳを探索する。発見した中間管理情報ＴＭＰ＿ＦＳに記録される各サムネイル画像のアドレスを参照して、記録媒体２０から全サムネイル画像（又は、一覧表示で一度に表示する数のサムネイル画像）の圧縮データを読み出す。
【００２５】
記録媒体２０から読み出されたサムネイル画像の圧縮データは、ディスクアクセス部１８及びバッファメモリ１６を介してデコーダ３４に供給される。デコーダ３４は各サムネイル画像の圧縮データを伸長し、リサイズ回路３６は、デコーダ３４からのサムネイル画像データを表示サイズにリサイズし、バッファ３８に格納する。バッファ３８には、ＬＣＤ２６での表示用のフレームメモリが設定されており、そのフレームメモリに、１画面に表示する数の、リサイズされたサムネイル画像が格納される。図２は、サムネイル画像の一覧表示例を示す。図２に示す例では、フレームメモリに６つのサムネイル画像が格納され、一画面に同時に６つのサムネイル画像が表示される。
【００２６】
記録モードから記録媒体２０をイジェクトせずに再生モードに変更した場合、ＲＡＭ４４には、記録媒体２０にまだ記録されていないサムネイル画像が格納されている。そこで、本実施例では、記録媒体２０に記録済みのサムネイル画像をＬＣＤ２６の画面に表示し終えると、続けて、ＲＡＭ４４のサムネイル画像を一覧表示する。このために、ＣＰＵ４０は、ＲＡＭ４４に未記録のサムネイル画像（圧縮データ）が格納されているか否かを調べる。未記録のサムネイル画像（圧縮データ）がある場合、その未記録のサムネイル画像（圧縮データ）をデコーダ３４に供給する。デコーダ３４は、ＲＡＭ４４からのサムネイル画像（圧縮データ）を復号化し、リサイズ回路３６が、復号化されたサムネイル画像を表示サイズにリサイズし、バッファ３８のフレームメモリに格納する。一覧表示のために記録媒体２０から読み出したサムネイル画像で一覧表示分に満たない場合には、その空き分に、ＲＡＭ４４からのサムネイル画像を補充する。
【００２７】
ＣＰＵ４０はＬＣＤ制御装置２４により、バッファ３８のフレームメモリに格納される一覧形式のサムネイル画像をＬＣＤ２６に表示させる。
【００２８】
図３に示すようなユーザ操作例の場合の動作を説明する。図３に示す操作例では、ユーザが記録開始ボタンを押下して１つ目のシーンの記録が開始され（Ｓ１）、記録終了ボタンの押下でそのシーンの記録が終了する（Ｓ２）。ユーザのイジェクト操作により、記録媒体２０がイジェクトされる（Ｓ３）。記録媒体２０が再びセットされる（Ｓ４）。記録開始ボタンが押下されて２つ目のシーンの記録が開始され（Ｓ５）、記録終了ボタンの押下で２つ目のシーンの記録が終了する（Ｓ６）。記録開始ボタンの押下で３つ目のシーンの記録が開始され（Ｓ７）、記録終了ボタンの押下で３つ目のシーンの記録が終了する（Ｓ８）。ユーザのイジェクト操作により、記録媒体２０がイジェクトされる（Ｓ９）。記録媒体２０が再びセットされ（Ｓ１０）、ファイナライズされる（Ｓ１１）。
【００２９】
図４（ａ）〜（ｆ）は、図３に示す操作例に対する記録媒体２０の記録内容の変遷を示す。図４で、斜線部分は未記録である。記録媒体２０が一層記録式のＤＶＤ−Ｒである場合、図４の左端が最内周、右端が最外周に相当する。ただし、最内周の領域のさらに内周部には、ＲＭＤ（Ｒｅｃｏｒｄｉｎｇ  Ｍａｎａｇｅｍｅｎｔ  Ｄａｔａ）が配置される固定領域があるが、ここでは図示していない。ＲＭＤには、ディスク媒体のどこまでが記録済みかを示すＬＲＡ（Ｌａｓｔ  Ｒｅｃｏｒｄｅｄ  Ａｄｄｒｅｓｓ）が格納されており、ディスクアクセス部１８は記録媒体２０が挿入されると、このＲＭＤを読み込んで、ＬＲＡを取得する。
【００３０】
図４（ａ）は、ステップＳ２の終了時の状態の物理イメージを示す。１つ目のシーンをＶＯＢ６６として記録している。最内周にある予約領域６０は、ＵＤＦ（Ｕｎｉｖｅｒｓａｌ  Ｄｉｓｃ  Ｆｏｒｍａｔ）をファイナライズ時に書き込む領域として確保されている。その次の予約領域６２はＶＭＧ（ビデオマネージャー）用に確保され、その次の予約領域６４はＶＴＳＩ（ビデオタイトルセットインフォメーション）用に確保されている。これらＵＤＦ、ＶＭＧ及びＶＴＳＩの実際の容量がどの程度になるかはシーンの記録状況によって変動する。しかし、それぞれの最大容量は予め定めた最大ファイル数又は最大シーン数から算出され、ＵＤＦ予約領域６０、ＶＭＧ予約領域６２及びＶＴＳＩ予約領域６４は、それぞれの最大容量分になっている。
【００３１】
ＵＤＦは、記録媒体に記録されるファイルを管理しているファイルシステム情報であり、ＵＤＦ規格で定義されている。ＵＤＦはＤＶＤ等で用いられる一般的なファイルシステムである。ＶＭＧは、ＤＶＤビデオ全体の制御情報及びタイトルメニューなどを含む管理情報である。ＶＭＧはＶＴＳＩの管理情報であり、１枚のディスクに対して１つ存在する。ＶＴＳＩは、各タイトルに含まれる全てのシーンのアドレスと記録時間などを含む管理情報であり、タイトルが複数ある場合にはＶＴＳＩも複数存在する。これらの管理情報のうち、ＵＤＦとＶＭＧはディスク全体の内容にかかわるので、ファイナライズしてディスクの内容が確定するまでディスクには書き込まない。ＶＴＳＩは、シーンの記録を行う毎に内容を更新する必要があるので、続けてシーンが記録される可能性がある段階ではディスクには書き込まない。
【００３２】
ステップＳ１において領域６６にシーン１のＶＯＢの記録が開始されると同時に、シーン１のサムネイル画像も生成されている。しかし、先に説明したように、このサムネイル画像は、ＲＡＭ４４に格納されているだけで、記録媒体２０には書き込まれない。さらに、ＶＴＳＩのアドレスなどを格納する中間管理情報ＴＭＰ＿ＦＳも生成されるが、この時点では、中間管理情報ＴＭＰ＿ＦＳは、ＲＡＭ４４に格納するだけで、記録媒体２０には書き込まれない。再生時などには、ＲＡＭ４４に格納される中間管理情報ＴＭＰ＿ＦＳを参照して、各ＶＴＳＩのアドレスなどを取得する。
【００３３】
図４（ｂ）は、ステップＳ３の終了時の状態を示す。記録媒体２０のイジェクト時にはタイトルが閉じられ、このタイトルの管理情報がＶＴＳＩ予約領域６４に記録され、そのバックアップとして、同じデータからなるＶＴＳＩ＿ＢＵＰが領域６８に記録される。
【００３４】
記録媒体２０に記録された全シーンのサムネイル画像が、ＶＴＳＩ＿ＢＵＰ領域６８の後に記録される。この時点では、記録媒体２０に先に書き込まれているサムネイル画像ブロックは存在しない。従って、ＲＡＭ４４に格納されているＶＯＢ領域６６のサムネイル画像Ｔｈｕｍ０１だけが、サムネイル画像ブロックとしての領域７０に記録される。
【００３５】
ＵＤＦとＶＭＧは記録媒体２０に書き込まれないので、中間管理情報ＴＭＰ＿ＦＳを、Ｔｈｕｍ０１の記録領域７０の後の領域７２に書き込む。このとき、ＶＭＧとＶＴＳＩのアドレスと同様に、サムネイル画像Ｔｈｕｍ０１（領域７０）のアドレスも領域７２の中間管理情報ＴＭＰ＿ＦＳ（領域７２）に格納する。中間管理情報ＴＭＰ＿ＦＳは、記録媒体２０の記録済み領域の末尾に記録される固定長のデータであり、これにより、ＲＭＤに格納されるＬＲＡから読み出しアドレスが算出できる。こうすることによって、再度、記録媒体２０がセットされたときに、継続して記録又は再生が可能となる。
【００３６】
図４（ｃ）は、ステップＳ６の終了時の状態を示す。２つ目のタイトル用のＶＴＳＩを記録するための予約領域７４を確保し、２つ目のシーンのＶＯＢを領域７６に記録している。ステップＳ２と同様、２つ目のシーンのＶＯＢの記録開始と同時にそのサムネイル画像Ｔｈｕｍ０２も生成されるが、このサムネイル画像Ｔｈｕｍ０２は、この時点ではＲＡＭ４４に格納されるだけで、記録媒体２０には書き込まれない。
【００３７】
図４（ｄ）は、ステップＳ８の終了時の状態を示す。３つ目のシーンのＶＯＢが領域７８に記録されている。記録媒体２０のイジェクトを行わずに続けて記録を行う場合、１つ目のシーンのＶＯＢ（領域７６）と２つ目のシーンのＶＯＢ（領域７８）は、同一のタイトルに含まれる。このタイトルのＶＴＳＩとそのバックアップはまだ書き込まれない。中間管理情報ＴＭＰ＿ＦＳも、まだ記録されない。ステップＳ６と同様、ＶＯＢ（領域７８）の記録開始と同時にシーン３のサムネイル画像Ｔｈｕｍ０３も生成されるが、このサムネイル画像Ｔｈｕｍ０３は、この時点ではＲＡＭ４４に格納されるだけで、記録媒体２０には書き込まれない。
【００３８】
図４（ｅ）は、ステップＳ９の終了時の状態を示す。タイトルが閉じられるので、シーン２、３を含むタイトルに対するＶＴＳＩが予約領域７４に記録され、そのバックアップとして同じデーからなるＶＴＳＩ＿ＢＵＰが領域８０に記録される。そして、先に説明した手順でサムネイル画像も記録される。即ち、記録媒体２０に記録済みの最外周側のサムネイル画像ブロック（領域７０）に記録されるサムネイル画像Ｔｈｕｍ０１を、ＶＴＳＩ＿ＢＵＰの記録領域８０の後の領域８２に書き込む。領域８２に続けて、ＲＡＭ４４に格納されているサムネイル画像Ｔｈｕｍ０２，Ｔｈｕｍ０３を記録媒体２０の領域８４に書き込む。これらまとめて記録された３つのサムネイル画像が、新たなサムネイル画像ブロックを構成する。
【００３９】
ファイナライズするまでＵＤＦとＶＭＧは書き込まれないので、ＶＴＳＩとＴｈｕｍ０１，Ｔｈｕｍ０２，Ｔｈｕｍ０３のアドレスを示す中間管理情報ＴＭＰ＿ＦＳが領域８４に続く領域８６に書き込まれる。このとき、書き込まれる中間管理情報ＴＭＰ＿ＦＳ（領域８６）には、先に領域７２に記録された中間管理情報ＴＭＰ＿ＦＳに含まれる１つ目のタイトルに関する中間管理情報も含まれる。従って、記録媒体２０の再挿入時には、領域８６に記録される中間管理情報ＴＭＰ＿ＦＳだけを読み込めば、記録媒体２０上の全タイトルにアクセス出来る。
【００４０】
図４（ｆ）は、ステップＳ１１のファイナライズ処理後の状態を示す。最後にファイナライズを行うことで、記録媒体２０の内容が確定する。即ち、確定したＵＤＦ情報を予約領域６０に書き込み、ＶＭＧ情報を予約領域６２に書き込む。こうすることによって、ＤＶＤ-Ｖｉｄｅｏ規格に則って再生可能な光ディスクが出来上がる。
【００４１】
図４（ｆ）に示す記録状態では、サムネイル画像Ｔｈｕｍ０１、Ｔｈｕｍ０２、Ｔｈｕｍ０３が一個所にまとめて、続けて記録されている。そのため、これらを読み出すためにシーク動作がほとんど発生せず、一覧表示を高速に行うことができる。
【００４２】
本実施例ではまた、記録媒体２０のイジェクト時だけでなく、電源の切断時にも、イジェクト時と同様に、ＲＡＭ４４のサムネイル画像で記録媒体２０のサムネイル画像ブロックを更新する。図３に示すフローチャートで、ステップＳ３，Ｓ９を電源の切断とし、ステップＳ４，Ｓ１０を電源の投入とした場合、ステップＳ２、Ｓ３、Ｓ６、Ｓ８、Ｓ９及びＳ１１の終了時の状態は、それぞれ図４（ａ）〜（ｆ）に示したものと同様となる。
【実施例２】
【００４３】
記録媒体２０に記録されるサムネイル画像の更新（記録媒体２０への書き込み）と同時に、シーンの管理情報も更新（記録媒体２０への書き込み）をしてもよい。
【００４４】
例えば、サムネイル画像の一覧表示では、図５に例示するように、各シーンのサムネイル画像に記録日時及び記録時間などの管理情報も表示するのが一般的であり、便利である。ファイナライズ前の段階で、記録シーンの管理情報も記録媒体２０上で更新するようにすれば、ＴＭＰ＿ＦＳから各ＶＴＳＩをたどることなく、高速に表示可能になる。必要な管理情報が記録媒体の一箇所に記録されているので、シークが発生せずに高速に読み出せるからである。
【００４５】
図３に示す操作例に即して、記録媒体２０の記録イメージの変遷を説明する。シーン管理情報を更新するように変更した場合、ステップＳ１、Ｓ２の後の記録イメージは、図４に示すものと変わらない。図６（ａ）は、シーン管理情報を更新するように変更した場合の、ステップＳ３終了時の記録媒体２０の記録イメージを示し、図６（ｂ）は、ステップＳ９終了時の記録イメージを示す。図６で、斜線部分は未記録部分を示す。
【００４６】
図６（ａ）に示すように、実施例１と同様に、記録媒体２０のイジェクト時にタイトルが閉じられるので、ＶＴＳＩ情報が記録媒体２０の領域９４に記録され、そのバックアップとして同じデータからなるＶＴＳＩ＿ＢＵＰが領域９８に記録される。
【００４７】
ＶＴＳＩ情報を領域９４に記録するために、ＣＰＵ４０は、シーン１のＶＯＢ（領域９６）のアドレス、記録日時及び記録時間などの管理情報を記録媒体２０から読み込み、ＲＡＭ４４に格納する。ＣＰＵ４０は、管理情報生成手段として機能する。そして、ＲＡＭ４４に格納されたこの管理情報をＴＭＰ＿ＶＭＧ情報としてサムネイル画像Ｔｈｕｍ０１の記録領域１００の後の領域１０２に書き込む。また、このとき、記録媒体２０に記録された全シーンのサムネイル画像を、ＶＴＳＩ＿ＢＵＰ（領域９８）の後の領域１００に記録する。
【００４８】
ファイナライズするまでＵＤＦとＶＭＧを記録媒体２０に書き込まないので、ＶＴＳＩのアドレスを示す中間管理データとしてＴＭＰ＿ＦＳをＴＭＰ＿ＶＭＧ（領域１０２）の後の領域１０４に書き込む。また、ＶＭＧとＶＴＳＩのアドレスと同様に、領域１００に記録されるサムネイル画像のアドレス、及び管理情報ＴＭＰ＿ＶＭＧ（領域１０２）のアドレスも、中間管理情報ＴＭＰ＿ＦＳ（領域１０４）に格納する。
【００４９】
ステップＳ５からステップＳ８までに対する記録媒体２０の記録イメージは、図４の対応する図と同じである。
【００５０】
ステップＳ９における記録媒体のイジェクト操作により、タイトルが閉じられるので、図６（ｂ）に示すように、ＶＴＳＩが領域１０６に記録され、そのバックアップとして同じデータからなるＶＴＳＩ＿ＢＵＰが領域１１２に記録される。記録媒体２０に記録された全シーンのサムネイル画像Ｔｈｕｍ０１，Ｔｈｕｍ０２，Ｔｈｕｍ０３を、ＶＴＳＩ＿ＢＵＰ（領域１１２）の後の領域１１４，１１６，１１８に連続的に記録する。領域１１４に記録されるサムネイル画像Ｔｈｕｍ０１は、領域１００に記録されるサムネイル画像Ｔｈｕｍ０１と同じ内容なので、先に説明したように、領域１００に記録されるサムネイル画像Ｔｈｕｍ０１のコピーが記録媒体２０の領域１１４に書き込まれる。他のサムネイル画像Ｔｈｕｍ０２，Ｔｈｕｍ０３は、通常の手順で作成され、記録される。
【００５１】
実施例１と異なり、本実施例では、この後に、管理情報ＴＭＰ＿ＶＭＧをＴｈｕｍ０３の記録領域１１８の後の領域１２０，１２２に記録する。第１の管理情報ＴＭＰ＿ＶＭＧ（領域１２０）は、領域１０２に記録される管理情報ＴＭＰ＿ＶＭＧと同じ内容からなるので、領域１０２から管理情報ＴＭＰ＿ＶＭＧを読み込み、記録媒体２０の領域１２０に記録する。領域１２２に記録される管理情報ＴＭＰ＿ＶＭＧは、通常の手順で作成される。
【００５２】
実施例１と同様に、ファイナライズするまでＵＤＦとＶＭＧは、記録媒体２０に書き込まれない。そこで、ＶＴＳＩ、各サムネイル画像Ｔｈｕｍ０１，Ｔｈｕｍ０２，Ｔｈｕｍ０３及びＴＭＰ＿ＶＭＧ（領域１２０，１２２）のアドレスを示す中間管理情報ＴＭＰ＿ＦＳが、領域１２２に続く領域１２４に書き込まれる。書き込まれる中間管理情報ＴＭＰ＿ＦＳは、領域１０４の中間管理情報ＴＭＰ＿ＦＳに含まれる１つ目のタイトルに関する中間管理情報を含む。従って、記録媒体２０の再挿入時には、領域１２４の中間管理情報ＴＭＰ＿ＦＳだけを読み込めば、記録媒体２０上の全タイトルにアクセス出来る。
【００５３】
このように、本実施例では、各シーンの記録日時と記録時間等を格納するＴＭＰ＿ＶＭＧが領域１２０，１２２にまとめて記録されている。これらのファイルを読み込むことによって、ＶＴＳＩ（領域８９４，１０６）を読み込まなくても、各シーンの記録日時と記録時間等を取得出来る。従って、一覧表示で各シーンの記録日時と記録時間も表示するためには領域１２０，１２２の中間管理情報ＴＭＰ＿ＶＭＧを読み込めばよい。シーク動作がほとんど発生しないので、一覧表示を高速に行うことが出来る。
【００５４】
ファイナライズでＵＤＦとＶＭＧが記録媒体２０に記録されるのは、実施例１と同様である。
【図面の簡単な説明】
【００５５】
【図１】本発明の一実施例の概略構成ブロック図である。
【図３】本実施例のユーザ操作例のフローチャートである。
【図４】本実施例における記録媒体２０の記録イメージ図である。
【図６】第２実施例における記録媒体２０の記録イメージ図である。
【図２】実施例１のインデックス画面例である。
【図５】実施例２のインデックス画面例である。
【符号の説明】
【００５６】
１０  ビデオカメラ
１２  カメラ
１４  エンコーダ
１６  バッファメモリ
１８  ディスクアクセス部
２０  記録媒体
２２  デコーダ
２４  ＬＣＤ制御装置
２６  液晶表示パネル（ＬＣＤ）
２８  外部端子
３０  リサイズ回路
３２  エンコーダ
３４  デコーダ
３６  リサイズ回路
３８  バッファメモリ
４０  ＣＰＵ
４２  操作部
４４  ＲＡＭ
４６  ＲＯＭ
４８  ＣＰＵバス
【図１】
2009238339.tif 000003
【図２】
2009238339.tif 000004
【図３】
2009238339.tif 000005
【図４】
2009238339.tif 000006
【図５】
2009238339.tif 000007
【図６】
2009238339.tif 000008